(57)【要約】  本発明の映像補正装置（２）は、無補正時の表示パネルの輝度ムラの特性である無補正時ムラ特性であって、第１階調における無補正時ムラ特性である第１無補正時ムラ特性と、バックライト駆動値（１０１）及び黒レベルに基づいて算出された補正量（１０３）と、に基づいて第１目標ムラ特性（１０５）を算出する第１目標ムラ特性算出部（２０５）と、第１階調とは異なる第２階調における無補正時ムラ特性である第２無補正時ムラ特性と、前記バックライト駆動値（１０１）と、に基づいて第２目標ムラ特性（１０６）を算出する第２目標ムラ特性算出部（２０６）と、前記第１無補正時ムラ特性と、前記第２無補正時ムラ特性と、前記第１目標ムラ特性（１０５）と、前記第２目標ムラ特性（１０６）とに基づいて、映像信号を補正する階調毎の補正データを生成する補正データ生成部（２０７）と、を備える。
2015173948.tif 000002
【特許請求の範囲】
【請求項１】
無補正時の表示パネルの輝度ムラの特性である無補正時ムラ特性であって、第１階調における前記無補正時ムラ特性である第１無補正時ムラ特性と、バックライト駆動値と黒レベルとに基づいて算出された補正量と、に基づいて、第１目標ムラ特性を算出する第１目標ムラ特性算出部と、  前記第１階調とは異なる第２階調における前記無補正時ムラ特性である第２無補正時ムラ特性と、前記バックライト駆動値と、に基づいて、第２目標ムラ特性を算出する第２目標ムラ特性算出部と、  前記第１無補正時ムラ特性と、前記第２無補正時ムラ特性と、前記第１目標ムラ特性と、前記第２目標ムラ特性と、に基づいて、映像信号を補正する階調毎の補正データを生成する補正データ生成部と、  を備える映像補正装置。
【請求項２】
表示ムラを補正する予め設定された複数の階調それぞれに対するムラ特性に基づいて、前記第１階調と前記第２階調とを含む複数の階調それぞれの前記無補正時ムラ特性を算出する輝度ムラ算出部、を備える請求項１に記載の映像補正装置。
【請求項３】
前記黒レベルに比例し、前記バックライト駆動値に反比例する特性に基づいて前記補正量を算出する補正量算出部、を備える請求項１または請求項２に記載の映像補正装置。
【請求項４】
前記補正データ生成部は、  前記第１目標ムラ特性と前記第２目標ムラ特性とを用いて、前記第１階調から前記第２階調間の目標ムラ特性を生成し、  各階調の前記無補正時ムラ特性と、生成された前記第１階調から前記第２階調間の目標ムラ特性とを階調毎に比較し、映像信号を補正する階調毎の補正データを生成する請求項１から請求項３のいずれか１項に記載の映像補正装置。
【請求項５】
前記補正データ生成部が生成する階調毎の補正データは、３ＤＬＵＴのデータである請求項１から請求項４のいずれか１項に記載の映像補正装置。
【請求項６】
前記バックライト駆動値は、白レベルに応じたバックライトの駆動値である請求項１から請求項５のいずれか１項に記載の映像補正装置。
【請求項７】
前記第１目標ムラ特性と前記第２目標ムラ特性とを比較し、前記第１目標ムラ特性と前記第２目標ムラ特性とが所定の範囲内である場合に一致すると判断し、所定の範囲外である場合に不一致であると判断する判断部と、  前記判断部の判断結果が不一致の場合に警告情報を生成し、生成した前記警告情報を前記映像信号に重畳する重畳部、を備える請求項１から請求項６のいずれか１項に記載の映像補正装置。
【請求項８】
前記判断部は、前記第１目標ムラ特性及び前記第２目標ムラ特性において、それぞれ映像が表示される表示部における所定の位置の値を基準として表示部内の各点の値を正規化し、表示部内の点毎に前記正規化された前記第１目標ムラ特性と前記第２目標ムラ特性とが、所定の範囲内である場合に一致すると判断し、所定の範囲外である場合に不一致であると判断する請求項７に記載の映像補正装置。
【請求項９】
前記第１目標ムラ特性に含まれる値と前記第２目標ムラ特性とに含まれる値とが、映像が表示される表示部の所定の位置において、所定の範囲内である場合に一致すると判断し、所定の範囲外である場合に不一致であると判断する判断部と、  前記判断部の判断結果が不一致の場合に警告情報を生成し、生成した前記警告情報を前記映像信号に重畳する重畳部、を備える請求項１から請求項６のいずれか１項に記載の映像補正装置。
【請求項１０】
表示ムラを補正する予め設定された複数の階調それぞれに対するムラ特性に含まれる値と、前記補正データ生成部によって生成された前記階調毎の補正データとに含まれる値とが、所定の範囲内である場合に一致すると判断し、所定の範囲外である場合に不一致であると判断する判断部と、  前記判断部の判断結果が不一致の場合に警告情報を生成し、生成した前記警告情報を前記映像信号に重畳する重畳部、を備える請求項２から請求項６のいずれか１項に記載の映像補正装置。
【請求項１１】
画像を表示する表示パネルと、  無補正時の表示パネルの輝度ムラの特性である無補正時ムラ特性であって、第１階調における前記無補正時ムラ特性である第１無補正時ムラ特性と、バックライト駆動値と黒レベルとに基づいて算出された補正量と、に基づいて、第１目標ムラ特性を算出する第１目標ムラ特性算出部と、  前記第１階調とは異なる第２階調における前記無補正時ムラ特性である第２無補正時ムラ特性と、前記バックライト駆動値と、に基づいて、第２目標ムラ特性を算出する第２目標ムラ特性算出部と、  前記第１無補正時ムラ特性と、前記第２無補正時ムラ特性と、前記第１目標ムラ特性と、前記第２目標ムラ特性と、に基づいて、映像信号を補正する階調毎の補正データを生成する補正データ生成部と、  を備える表示装置。
【請求項１２】
無補正時の表示パネルの輝度ムラの特性である無補正時ムラ特性であって、第１階調における前記無補正時ムラ特性である第１無補正時ムラ特性と、バックライト駆動値と黒レベルとに基づいて算出された補正量と、に基づいて、第１目標ムラ特性を算出する第１目標ムラ特性算出手順と、  前記第１階調とは異なる第２階調における前記無補正時ムラ特性である第２無補正時ムラ特性と、前記バックライト駆動値と、に基づいて、第２目標ムラ特性を算出する第２目標ムラ特性算出手順と、  前記第１無補正時ムラ特性と、前記第２無補正時ムラ特性と、前記第１目標ムラ特性と、前記第２目標ムラ特性と、に基づいて、映像信号を補正する階調毎の補正データを生成する補正データ生成手順と、  を含む映像補正方法。
【発明の詳細な説明】
【技術分野】
【０００１】  本発明は、映像補正装置、表示装置、及び映像補正方法に関する。
【背景技術】
【０００２】  医療用やグラフィックデザイン業務で使用される表示装置には、数値的に正確な色再現が求められる。バックライトを有する表示装置では、白レベルの調整をバックライトの輝度の調整によって行い、黒レベルの調整を映像信号のオフセットの調整によって行うものもある。なお、黒レベル及び白レベルの目標値は、利用者によって設定される。【０００３】  また、映像表示部及びバックライトが持つ輝度ムラや色度ムラ（以下、表示ムラという）を補正する表示装置において、表示ムラ補正量が設定でき、この表示ムラ補正量を用いて表示ムラを補正することが提案されている（例えば、特許文献１参照）。
【先行技術文献】
【特許文献】
【０００４】
【特許文献１】特開２００７−２１９０６２号公報
【発明の概要】
【発明が解決しようとする課題】
【０００５】  しかしながら、利用者によって設定される黒レベル、白レベル、及び表示ムラ補正量が互いに関係し合っている。このため、特許文献１に記載の発明では、白レベルと黒レベルの決定後に表示ムラ補正量を変更した場合、白レベルと黒レベルとが変動してしまうので、バランスの良い設定にするために、利用者が白レベルの設定、黒レベルの設定、及び表示ムラ補正量の設定について反復調整する必要があった。また、特許文献１に記載の発明では、表示ムラ補正量の決定後に白レベルと黒レベルを変更すると、表示ムラ補正量により補正されるので白レベル及び黒レベルを変更できる範囲が狭くなるため、バランスの良い設定にするために、利用者が白レベルの設定、黒レベルの設定、及び表示ムラ補正量の設定について反復調整する必要があった。  このように、特許文献１に記載の発明では、バランスの良い設定値を決定することが困難であるため、利用者の嗜好に合わせて表示ムラを補正することが困難であるという課題があった。【０００６】  本発明は、上記の問題点に鑑みてなされたものであって、利用者の嗜好に合わせて表示ムラを補正することができる映像補正装置、表示装置、及び映像補正方法を提供することを目的としている。
【課題を解決するための手段】
【０００７】  上記目的を達成するため、本発明に係る映像補正装置は、無補正時の表示パネルの輝度ムラの特性である無補正時ムラ特性であって、第１階調における前記無補正時ムラ特性である第１無補正時ムラ特性と、バックライト駆動値と黒レベルとに基づいて算出された補正量と、に基づいて、第１目標ムラ特性を算出する第１目標ムラ特性算出部と、前記第１階調とは異なる第２階調における前記無補正時ムラ特性である第２無補正時ムラ特性と、前記バックライト駆動値と、に基づいて、第２目標ムラ特性を算出する第２目標ムラ特性算出部と、前記第１無補正時ムラ特性と、前記第２無補正時ムラ特性と、前記第１目標ムラ特性と、前記第２目標ムラ特性と、に基づいて、映像信号を補正する階調毎の補正データを生成する補正データ生成部と、を備える。【０００８】  上記目的を達成するため、本発明に係る表示装置は、画像を表示する表示パネルと、無補正時の表示パネルの輝度ムラの特性である無補正時ムラ特性であって、第１階調における前記無補正時ムラ特性である第１無補正時ムラ特性と、バックライト駆動値と黒レベルとに基づいて算出された補正量と、に基づいて、第１目標ムラ特性を算出する第１目標ムラ特性算出部と、前記第１階調とは異なる第２階調における前記無補正時ムラ特性である第２無補正時ムラ特性と、前記バックライト駆動値と、に基づいて、第２目標ムラ特性を算出する第２目標ムラ特性算出部と、前記第１無補正時ムラ特性と、前記第２無補正時ムラ特性と、前記第１目標ムラ特性と、前記第２目標ムラ特性と、に基づいて、映像信号を補正する階調毎の補正データを生成する補正データ生成部と、を備える。【０００９】  上記目的を達成するため、本発明に係る映像補正方法は、無補正時の表示パネルの輝度ムラの特性である無補正時ムラ特性であって、第１階調における前記無補正時ムラ特性である第１無補正時ムラ特性と、バックライト駆動値と黒レベルとに基づいて算出された補正量と、に基づいて、第１目標ムラ特性を算出する第１目標ムラ特性算出手順と、前記第１階調とは異なる第２階調における前記無補正時ムラ特性である第２無補正時ムラ特性と、前記バックライト駆動値と、に基づいて、第２目標ムラ特性を算出する第２目標ムラ特性算出手順と、前記第１無補正時ムラ特性と、前記第２無補正時ムラ特性と、前記第１目標ムラ特性と、前記第２目標ムラ特性と、に基づいて、映像信号を補正する階調毎の補正データを生成する補正データ生成手順と、を含む。
【発明の効果】
【００１０】  本発明によれば、利用者の嗜好に合わせて表示ムラを補正することができる。
【図面の簡単な説明】
【００１１】
【図１】第１実施形態に係る表示システムの概略構成図である。
【図２】階調毎に画面ムラ特性が異なる例を説明する図である。
【図３】第１実施形態に係る映像表示部の白ムラ特性の一例を説明する図である。
【図４】第１実施形態に係る映像表示部の黒ムラ特性の一例を説明する図である。
【図５】第１実施形態に係る黒ムラ補正量の一例を説明する図である。
【図６】第１実施形態に係る０．１［ｃｄ／ｍ２］のときの黒ムラ特性の一例を説明する図である。
【図７】第１実施形態に係る０．４［ｃｄ／ｍ２］のときの黒ムラ特性の一例を説明する図である。
【図８】第１実施形態に係る０．６［ｃｄ／ｍ２］のときの黒ムラ特性の一例を説明する図である。
【図９】第１実施形態に係る映像補正装置の処理手順のフローチャートである。
【図１０】第１実施形態に係る判断部が行う処理手順のフローチャートである。
【図１１】第２実施形態に係る本実施形態に係る表示システムの概略構成図である。
【図１２】第３実施形態に係る本実施形態に係る表示システムの概略構成図である。
【発明を実施するための形態】
【００１２】  以下、図面を用いて本発明の実施形態について詳細に説明する。
【００１３】＜第１実施形態＞  図１は、本実施形態に係る表示システム１の概略構成図である。  図１に示すように、表示システム１は、映像補正装置２、バックライト３、映像入力部４、ムラ補正３ＤＬＵＴ５、及び映像表示部６を含んで構成される。
【００１４】  バックライト３は、映像補正装置２が出力する駆動信号により光を発する光源である。バックライト３は、例えば白色ＬＥＤ（発光ダイオード）、３色のＬＥＤ、冷陰極管（ＣＣＦＬ）、熱陰極蛍光灯（ＨＣＦＬ）、エレクトロルミネセンスパネル（ＥＬＰ）等である。
【００１５】  映像入力部４は、ＰＣ（パーソナルコンピュータ）等の映像出力装置から入力された映像信号を映像補正装置２に出力する。入力される映像信号は、例えばＤＶＩ（Ｄｉｇｉｔａｌ  Ｖｉｓｕａｌ  Ｉｎｔｅｒｆａｃｅ；デジタルビジュアル インターフェー）規格の映像信号、ＨＤＭＩ（登録商標；Ｈｉｇｈ−Ｄｅｆｉｎｉｔｉｏｎ  Ｍｕｌｔｉｍｅｄｉａ  Ｉｎｔｅｒｆａｃｅ；高精細度マルチメディアインターフェース）規格の映像信号、ＶＧＡ（Ｖｉｄｅｏ  Ｇｒａｐｈｉｃｓ  Ａｒｒａｙ；ビデオグラフィックスアレイ）規格の映像信号等である。なお、入力される映像信号は、アナログ信号であってもよい。
【００１６】  ムラ補正３ＤＬＵＴ５は、映像補正装置２によって、３ＤＬＵＴ（３次元ルックアップテーブル）が設定される。ムラ補正３ＤＬＵＴ５は、映像補正装置２から入力された映像信号を、設定された３ＤＬＵＴを用いて補正し、補正した映像信号を映像表示部６に表示させる。ムラ補正３ＤＬＵＴ５には、初期値として、ムラ補正データ記憶部２０２に記憶されているムラ補正値が設定されている。この補正値は、色（例えばＲ，Ｇ，Ｂ）毎、階調（例えば２５５、１９２、１２８、６４、０）毎、位置（例えばｙ軸２０点、ｘ軸１１点）毎に独立の値である。映像表示部６において、ｙ軸は長手方向、ｘ軸は短手方向である。
【００１７】  映像表示部６は、ムラ補正３ＤＬＵＴ５が出力した映像信号を表示する。映像表示部６は、例えば液晶パネルである。映像表示部６に搭載される表示素子は、液晶方式以外の表示素子、例えば有機エレクトロルミネッセンス表示素子、無機エレクトロルミネッセンス表示素子、ＰＡＬＣ（Ｐｌａｓｍａ  Ａｄｄｒｅｓｓ  Ｌｉｑｕｉｄ  Ｃｒｙｓｔａｌ；プラズマ・アドレス液晶）、ＰＤＰ（Ｐｌａｓｍａ  Ｄｉｓｐｌａｙ  Ｐａｎｅｌ）やＦＥＤ（Ｆｉｅｌｄ  Ｅｍｉｓｓｉｏｎ  Ｄｉｓｐｌａｙ）であってもよい。
【００１８】  映像補正装置２は、バックライト制御部２０１、ムラ補正データ記憶部２０２、輝度ムラ特性算出部２０３、黒ムラ補正量算出部２０４、第１目標ムラ特性算出部２０５、第２目標ムラ特性算出部２０６、補正データ生成部２０７、判断部２０８、及び重畳部２０９を備える。
【００１９】  バックライト制御部２０１は、白レベルを示す値が入力される。バックライト制御部２０１は、入力された白レベルを示す値に比例したバックライト駆動値１０１を生成する。バックライト制御部２０１は、生成したバックライト駆動値１０１をバックライト３、黒ムラ補正量算出部２０４、及び第２目標ムラ特性算出部２０６に出力する。なお、白レベルを示す値は、例えば映像表示部６に表示される白の輝度［ｃｄ（カンデラ）／ｍ２］であり、利用者によって設定された値、または表示システム１に予め設定されている初期値である。白レベルを示す値は、例えば２００［ｃｄ／ｍ２］である。バックライト駆動値は、例えば電流値であり、またはパルスのディーティー比の値である。
【００２０】  ムラ補正データ記憶部２０２には、予め設定されている階調毎のムラ補正データが記憶されている。階調が２５６階調の場合、例えば、ムラ補正データ記憶部２０２には、０、６４、１２８、１９２、及び２５５階調それぞれのムラ補正データが記憶されている。例えば、０階調が黒色に対応し、２５５階調が白色に対応する。なお、階調は１２ビット、１６ビットであってもよい。また、ムラ補正データは、例えば表示システム１の製造時に不図示の撮像素子によって取得された二次元分布（ムラ特性）に基づいて、全表示階調で同一の画面ムラ特性となるように決定される映像表示部６内の各点の階調補正値である。また、本実施形態では、表示階調で同一の画面ムラ特性となるように補正した状態をムラ補正量が１００％の状態、この補正を行わない状態をムラ補正量が０％の状態という。このように、ムラ補正量は、ムラ特性をどの程度補正するかを表すパラメータである。このムラ補正量は、例えば、ユーザーインタフェースを介して入力される。
【００２１】  ここで、ムラ補正データが、全表示階調で同一の画面ムラ特性となるように決定される映像表示部６内の各点の階調補正値である理由を説明する。  ムラ調節時、白画面のムラ特性は自由に設定してもよい。ただし、中間階調以下のムラ特性は白画面のムラ特性と同一に揃えることが望ましい。これを行わず、階調ごとにムラ特性を変化させると、画面内のガンマカーブが揃わない場合に淡色表示時に色ムラが発生したり、表示品質規格（医用ＤＩＣＯＭ）を満たせなくなる場合もある。
【００２２】  例えば、階調ごとに異なるムラ特性を持つディスプレイにピンク（Ｒ２５５、Ｇ１２８、Ｂ１２８）色を全面表示した場合、図２に示すように、映像表示部６の画面中央では赤っぽく、左右端部ほど灰色っぽくなる色ムラを生じる。図２は、階調毎に画面ムラ特性が異なる例を説明する図である。図２において、横軸は映像表示部６の画面内の位置、縦軸は表示輝度である。曲線ｇ１３１は２５５階調における輝度ムラ、曲線ｇ１３２は１２８階調における輝度ムラである。また、矢印ｇ１３３は、画面の中央における２５５階調と１２８階調との輝度差、矢印ｇ１３４は、画面の左における２５５階調と１２８階調との輝度差である  図２のように、画面の位置によって色ムラが生じる理由は、Ｇ（緑）及びＢ（青）輝度に対するＲ（赤）輝度比が画面位置ごとに変化するためである。これを抑えるために、本実施形態では、全ての階調を同一のムラ特性に調整するように制御する。本実施形態では、０階調におけるムラ特性と、２５５階調におけるムラ特性を合わせているため、後述するように補完により生成されるその間の階調も、ムラ特性が同一になる。
【００２３】  輝度ムラ特性算出部２０３は、ムラ補正データ記憶部２０２に記憶されている各階調のムラ補正データを読み出し、読み出した各階調のムラ補正データを用いて、各階調の無補正時のパネル輝度ムラ特性１０２を算出する。輝度ムラ特性算出部２０３は、例えば読み出したムラ補正データに対して、補正値の輝度変換を行うことで、無補正時のムラ特性を算出するようにしてもよい。輝度ムラ特性算出部２０３は、図３に示すような算出した０階調のときの無補正時の輝度ムラ特性（０階調パネル輝度ムラ特性ともいう）を第１目標ムラ特性算出部２０５に出力する。輝度ムラ特性算出部２０３は、図４に示すような算出した２５５階調のときの無補正時の輝度ムラ特性（２５５階調パネル輝度ムラ特性ともいう）を第２目標ムラ特性算出部２０６に出力する。また、輝度ムラ特性算出部２０３は、算出した０階調〜２５５階調それぞれのときの無補正時の輝度ムラ特性を補正データ生成部２０７に出力する。
【００２４】  図３は、本実施形態に係る映像表示部６の白ムラ特性の一例を説明する図である。図４は、本実施形態に係る映像表示部６の黒ムラ特性の一例を説明する図である。図３及び図４において、横方向の軸は、映像表示部６内のｘ軸方向の座標、奥行き方向の軸は、映像表示部６内のｙ軸方向の座標、縦軸は、映像表示部６の画面輝度［ｃｄ／ｍ２］である。  映像表示部６のｘｙ平面において、白レベルを表示させたとき、図３に示すような輝度のばらつき（輝度ムラ）がある。このため、出荷時にこの特性を付図示の撮像素子によって測定し、図３に示した輝度ムラを補正するムラ補正データがムラ補正データ記憶部２０２に記憶される。輝度ムラ特性算出部２０３によって、算出される２５５階調における輝度ムラ特性は、無補正時のものであるため、図３に示したような特性になる。  同様に、映像表示部６のｘｙ平面において、黒レベルを表示させたとき、図４に示すような輝度ムラがある。従って、輝度ムラ特性算出部２０３によって、算出される０階調における輝度ムラ特性は、図４に示したような特性になる。
【００２５】  なお、本実施形態では、ムラ補正データ記憶部２０２に予め設定されている階調毎のムラ補正データが記憶されている例を説明したが、これに限られない。ムラ補正データ記憶部２０２には、無補正時の階調毎の表示ムラデータが記憶されていてもよい。この場合、輝度ムラ特性算出部２０３は、ムラ補正データ記憶部２０２に記憶されている０階調のときの無補正時の輝度ムラ特性を第１目標ムラ特性算出部２０５に出力し、２５５階調のときの無補正時の輝度ムラ特性を第２目標ムラ特性算出部２０６に出力するようにしてもよい。また、輝度ムラ特性算出部２０３は、ムラ補正データ記憶部２０２に記憶されている０階調〜２５５階調それぞれのときの無補正時の輝度ムラ特性を補正データ生成部２０７に出力するようにしてもよい。
【００２６】  黒ムラ補正量算出部２０４は、設定された黒レベルと、バックライト制御部２０１から入力されたバックライト駆動値１０１とに基づいて、目標黒ムラ補正量１０３を算出する。この目標黒ムラ補正量１０３は、０階調のときの無補正時の輝度ムラ特性をどの程度補正するかを表すパラメータである。黒レベルは、例えば１［ｃｄ／ｍ２］である。黒ムラ補正量算出部２０４は、図５に示すように、例えば、黒レベルに比例し、バックライト駆動値に反比例する特性になるように算出する。黒ムラ補正量算出部２０４は、算出した目標黒ムラ補正量１０３を第１目標ムラ特性算出部２０５に出力する。
【００２７】  図５は、本実施形態に係る黒ムラ補正量の一例を説明する図である。図５において、横軸はバックライト駆動値、縦軸は黒ムラ補正量である。曲線ｇ１４１は、設定可能な黒レベルの最大値のバックライト駆動値に対する黒ムラ補正量、曲線ｇ１４２は、設定可能な黒レベルの最小値のバックライト駆動値に対する黒ムラ補正量である。利用者による黒レベルは、この曲線ｇ１４１と曲線ｇ１４２との間が選択される。なお、利用者による黒レベルの設定値は、例えば輝度［ｃｄ／ｍ２］の数値が選択、または入力される。曲線ｇ１４１及び曲線ｇ１４２の間には、矢印ｇ１４３が示すように、他の曲線が設定されている。このバックライト駆動値と、設定された黒レベルとによる黒ムラ補正量の曲線または曲線を表す式が、予め実測やシミュレーション等によって、黒ムラ補正量算出部２０４に記憶されている。黒ムラ補正量算出部２０４は、バックライト駆動値と、設定された黒レベルとに基づいて、記憶されている曲線または曲線を表す式を用いて、黒ムラ補正量を算出する。
【００２８】  図１に戻って、映像補正装置２の説明を続ける。  第１目標ムラ特性算出部２０５は、黒ムラ補正量算出部２０４から入力される目標黒ムラ補正量１０３と、輝度ムラ特性算出部２０３から入力される０階調パネル輝度ムラ特性１０２とに基づいて、０階調における目標ムラ特性（以下、０階調目標ムラ特性という）１０５を算出する。例えば、第１目標ムラ特性算出部２０５は、０階調パネル輝度ムラ特性１０２のうち、目標黒ムラ補正量１０３より低い輝度値を目標黒ムラ補正量１０３に置き換えることで、０階調目標ムラ特性１０５を算出する。第１目標ムラ特性算出部２０５は、算出した０階調目標ムラ特性１０５を補正データ生成部２０７及び判断部２０８に出力する。
【００２９】  図６は、本実施形態に係る０．１［ｃｄ／ｍ２］のときの黒ムラ特性の一例を説明する図である。図７は、本実施形態に係る０．４［ｃｄ／ｍ２］のときの黒ムラ特性の一例を説明する図である。図８は、本実施形態に係る０．６［ｃｄ／ｍ２］のときの黒ムラ特性の一例を説明する図である。図６〜図８の各軸は、図２及び図３と同様である。
【００３０】  図６に示す特性は、利用者によって黒レベルが０．１［ｃｄ／ｍ２］に設定されたときの黒ムラ特性である。図６に示す例では、パネルの輝度ムラが、利用者が設定した黒レベルより高い。第１目標ムラ特性算出部２０５は、フラットな特性と、図６に示す特性とを比較する。第１目標ムラ特性算出部２０５は、このフラットな特性よよ値の高い黒ムラ特性をターゲット特性として採用する。例えば、フラットな特性より図６に示す特性が高い画面輝度の場合、高い画面輝度が全てターゲット特性になる。
【００３１】  また、図７に示す特性は、利用者によって黒レベルが０．４［ｃｄ／ｍ２］に設定されたときの黒ムラ特性である。図６に示す例は、パネルの黒ムラと、ターゲット特性が、およそ半分程度、重なっている例である。このように重なっている場合、第１目標ムラ特性算出部２０５は、重なっている方の値が高い方を選択、すなわち、フラットな平面ｇ１５１より高い輝度は、ターゲット特性として採用される。
【００３２】  また、図８に示す特性は、利用者によって黒レベルが０．６［ｃｄ／ｍ２］に設定されたときの黒ムラ特性である。図８に示す例は、パネルの輝度ムラより、利用者が設定した黒レベルの方が高いので、第１目標ムラ特性算出部２０５は、高い方、すなわちフラットな特性の平面ｇ１６１が選択する。
【００３３】  図１に戻って、映像補正装置２の説明を続ける。  第２目標ムラ特性算出部２０６は、バックライト制御部２０１から入力されたバックライト駆動値１０１と、輝度ムラ特性算出部２０３から入力される２５５階調パネル輝度ムラ特性１０２とに基づいて、２５５階調における目標ムラ特性（以下、２５５階調目標ムラ特性という）１０６を算出する。例えば、第２目標ムラ特性算出部２０６は、入力されたバックライト駆動値１０１と反比例する特性になるように２５５階調目標ムラ補正量を算出する。第２目標ムラ特性算出部２０６は、バックライト駆動値が低いときムラ補正量を１００％とし、バックライト駆動値が最大のときムラ補正量を０％（ムラ補正がオフ状態）となるように減らしていくような特性の２５５階調目標ムラ補正量を算出する。なお、本実施形態では、ムラ特性が図７と同様であるとする。第２目標ムラ特性算出部２０６は、算出した２５５階調目標ムラ特性１０６を補正データ生成部２０７及び判断部２０８に出力する。
【００３４】  なお、同じバックライト駆動値において、ムラ補正を行うと輝度が下がってしまうため、目標輝度を実現できる場合は、ムラ補正量を最大（１００％）とし、輝度が不足する場合は、ムラ補正量を減らして、目標輝度を実現している。従って、本実施形態では、利用者が設定した白レベルが高くなるに従って、ムラ補正量を減らすように設定している。そして、ムラ補正量が１００％の場合の２５５階調目標ムラ補正量は、生産時に設定された値であり、０％の場合２５５階調目標ムラ補正量は、ムラ補正がオフ状態である。そして、０％と１００％との間の補正量は、０％と１００％と特性から、例えば補完して算出する。
【００３５】  補正データ生成部２０７は、目標ムラ特性生成部２０７１及びムラ補正データ出力部２０７２を備える。  目標ムラ特性生成部２０７１は、第１目標ムラ特性算出部２０５から入力された０階調目標ムラ特性１０５と、第２目標ムラ特性算出部２０６から入力された２５５階調目標ムラ特性１０６とを用いて、０〜２５５階調間の目標ムラ特性を生成する。目標ムラ特性生成部２０７１は、例えば、０階調目標ムラ特性１０５と２５５階調目標ムラ特性１０６とを補完して、０〜２５５階調間の目標ムラ特性を生成する。補完には、例えば、ＢｉＣｕｂｉｃ、スプラインなどの手法を用いる。目標ムラ特性生成部２０７１は、生成した０〜２５５階調間の目標ムラ特性をムラ補正データ出力部２０７２に出力する。
【００３６】  ムラ補正データ出力部２０７２は、目標ムラ特性生成部２０７１から入力された０〜２５５階調間の目標ムラ特性と、輝度ムラ特性算出部２０３から入力された０〜２５５階調間のパネル輝度ムラ特性１０２とを階調毎に比較して、階調毎のムラ補正データを生成する。ムラ補正データ出力部２０７２は、生成した階調毎のムラ補正データをムラ補正３ＤＬＵＴ５に設定する。
【００３７】  判断部２０８は、第１目標ムラ特性算出部２０５から入力された０階調目標ムラ特性１０５と、第２目標ムラ特性算出部２０６から入力された２５５階調目標ムラ特性１０６とを比較し、一致または不一致を示す情報を生成する。判断部２０８は、生成した情報を重畳部２０９に出力する。なお、判断部２０８は、補正量の比較において、所定の許容範囲内であれば一致していると判断するようにしてもよい。
【００３８】  重畳部２０９は、映像入力部４から入力された映像信号に、判断部２０８から入力された情報を重畳し、情報が重畳された映像信号をムラ補正３ＤＬＵＴ５に出力する。なお、重畳部２０９は、不一致を示す情報が入力された場合、階調間でムラ特性に差があり、また画面内のいずれかの箇所（座標）が目標の黒レベルに一致しないため、警告を示す情報を生成し、生成した警告を示す情報を映像信号に重畳する。すなわち、本実施形態では、利用者が設定した白レベルと黒レベルとを実現できる場合、警告を表示せず、実現できない場合に警告を表示する。  このように警告を表示する理由は、前階調のムラ特性が同一でない場合、図２で説明したように色ムラが発生したり、例えば医療用ＤＩＣＯＭなどの表示品質規格を満たせなくなるなど、画質不良が発生する場合があるためである。
【００３９】  図９は、本実施形態に係る映像補正装置２の処理手順のフローチャートである。  なお、以下の処理では、予めムラ補正データ記憶部２０２、ムラ補正３ＤＬＵＴ５にムラ補正データが設定され、利用者によって白レベル及び黒レベルが設定されている。
【００４０】（ステップＳ１）バックライト制御部２０１は、入力された白レベルを示す値に比例したバックライト駆動値１０１を生成する。次に、バックライト制御部２０１は、生成したバックライト駆動値１０１をバックライト３、黒ムラ補正量算出部２０４、及び第２目標ムラ特性算出部２０６に出力する。
【００４１】（ステップＳ２）輝度ムラ特性算出部２０３は、ムラ補正データ記憶部２０２に記憶されている各階調のムラ補正データを読み出す。次に、輝度ムラ特性算出部２０３は、読み出した各階調のムラ補正データを用いて、各階調の無補正時のパネル輝度ムラ特性１０２を算出し、算出した０階調パネル輝度ムラ特性を第１目標ムラ特性算出部２０５に出力し、２５５階調パネル輝度ムラ特性を第２目標ムラ特性算出部２０６に出力する。また、輝度ムラ特性算出部２０３は、算出した０階調〜２５５階調それぞれのときの無補正時の輝度ムラ特性を補正データ生成部２０７に出力する。
【００４２】（ステップＳ３）第２目標ムラ特性算出部２０６は、バックライト制御部２０１から入力されたバックライト駆動値１０１と、輝度ムラ特性算出部２０３から入力される２５５階調パネル輝度ムラ特性１０２とに基づいて、２５５階調目標ムラ特性１０６を算出する。第２目標ムラ特性算出部２０６は、算出した２５５階調目標ムラ特性１０６を補正データ生成部２０７及び判断部２０８に出力する。
【００４３】（ステップＳ４）黒ムラ補正量算出部２０４は、設定された黒レベルと、バックライト制御部２０１から入力されたバックライト駆動値１０１とに基づいて、目標黒ムラ補正量１０３を算出する。黒ムラ補正量算出部２０４は、算出した目標黒ムラ補正量１０３を第１目標ムラ特性算出部２０５に出力する。
【００４４】（ステップＳ５）第１目標ムラ特性算出部２０５は、黒ムラ補正量算出部２０４から入力される目標黒ムラ補正量１０３と、輝度ムラ特性算出部２０３から入力される０階調パネル輝度ムラ特性１０２とに基づいて、０階調目標ムラ特性１０５を算出する。第１目標ムラ特性算出部２０５は、算出した０階調目標ムラ特性１０５を判断部２０８及び補正データ生成部２０７に出力する。
【００４５】（ステップＳ６）目標ムラ特性生成部２０７１は、第１目標ムラ特性算出部２０５から入力された０階調目標ムラ特性１０５と、第２目標ムラ特性算出部２０６から入力された２５５階調目標ムラ特性１０６とを用いて、０〜２５５階調間の目標ムラ特性を生成する。目標ムラ特性生成部２０７１は、生成した０〜２５５階調間の目標ムラ特性をムラ補正データ出力部２０７２に出力する。
【００４６】（ステップＳ７）ムラ補正データ出力部２０７２は、目標ムラ特性生成部２０７１から入力された０〜２５５階調間の目標ムラ特性と、輝度ムラ特性算出部２０３から入力された０〜２５５階調間のパネル輝度ムラ特性１０２とを階調毎に比較して、階調毎のムラ補正データを生成する。ムラ補正データ出力部２０７２は、生成した階調毎のムラ補正データをムラ補正３ＤＬＵＴ５に設定する。
【００４７】（ステップＳ８）判断部２０８は、第１目標ムラ特性算出部２０５から入力された０階調目標ムラ特性１０５と、第２目標ムラ特性算出部２０６から入力された２５５階調目標ムラ特性１０６とを比較し、一致または不一致を示す情報を生成する。判断部２０８は、生成した情報を重畳部２０９に出力する。
【００４８】（ステップＳ９）重畳部２０９は、入力された情報が不一致を示す情報の場合、警告情報を生成する。次に、重畳部２０９は、映像入力部４から入力された映像信号に、生成した警告情報を重畳し、情報が重畳された映像信号をムラ補正３ＤＬＵＴ５に出力する。
【００４９】  次に、ステップＳ８で判断部２０８が行う処理の一例を説明する。  図１０は、本実施形態に係る判断部２０８が行う処理手順のフローチャートである。（ステップＳ１０１）判断部２０８は、０階調目標ムラ特性１０５と２５５階調目標ムラ特性１０６について、それぞれ画面中央の値（輝度もしくは階調値）を基準（１００％）として画面内の各点値を正規化する。（ステップＳ１０２）判断部２０８は、画面位置毎に、正規化された０階調目標ムラ特性１０５と２５５階調目標ムラ特性１０６とを比較する。不一致の点を発見した時点で不一致を示す情報を重畳部２０９に出力する。
【００５０】  なお、上述した例では、ステップＳ３の後に、ステップＳ４及びステップＳ５を行う例を説明したが、ステップＳ４及びステップＳ５の後にステップＳ３を行うようにしてもよい。または、ステップＳ３と、ステップＳ４及びステップＳ５とを並列処理してもよい。
【００５１】  以上のように、本実施形態の映像補正装置は、無補正時の表示パネルの輝度ムラの特性である無補正時ムラ特性であって、第１階調における無補正時ムラ特性である第１無補正時ムラ特性と、バックライト駆動値と黒レベルとに基づいて算出された補正量と、に基づいて、第１目標ムラ特性を算出する第１目標ムラ特性算出部と、第１階調とは異なる第２階調における無補正時ムラ特性である第２無補正時ムラ特性と、バックライト駆動値と、に基づいて、第２目標ムラ特性を算出する第２目標ムラ特性算出部と、第１無補正時ムラ特性と、第２無補正時ムラ特性と、第１目標ムラ特性と、第２目標ムラ特性と、に基づいて、映像信号を補正する階調毎の補正データを生成する補正データ生成部と、を備える。
【００５２】  この構成によって、本実施形態の映像補正装置は、従来のようにムラ特性を固定して映像信号のオフセットを調整することで黒レベル調整を行うのではなく、黒画面におけるムラ特性を変化させることで黒ベルの調整を行う。また、本実施形態では、目標黒ムラ補正量１０３は、設定された黒レベルのみではなく白レベルも用いて算出された値であるため、目標とする白レベル及び黒レベルに応じて、黒ムラ特性を調整している。さらに、本実施形態の映像補正装置は、黒ムラ特性とは独立に白画面のムラ特性を決定し、白黒２つの独立した目標ムラ特性を持つ。そして、本実施形態の映像補正装置は、中間階調のムラ特性は２特性間で連続的に遷移するよう表示階調ごとに設定することができる。一方従来技術では，前述のように階調間で共通のムラ特性となるよう調節していた。
【００５３】  このように、本実施形態によれば、利用者による白レベル及び黒レベルの設定値に対してムラ補正値を自動的に調節することができる。この結果、本実施形態によれば、利用者の嗜好に合わせて表示ムラを補正することができる。  さらに、本実施形態では、グラフィックまたは医用利用者の「色再現の正確さ」ニーズにもとづき、設定された白/黒レベルを満たしつつ画面ムラが最小となるよう前記ムラ補正値は自動的に設定される。なお、「色再現の正確さ」ニーズにおける優先度は、白レベルが最も高く、次に黒レベル、次に白ムラ特性、次に黒ムラ特性の順である。すなわち、本実施形態では、グラフィックまたは医用利用者の「色再現の正確さ」ニーズの順に調整している。  また、本実施形態では、目標の表示特性にならない画面部位が存在する、もしくは色ムラのおそれがある場合は利用者に警告を通知することができる。  以上のように、本実施形態によれば、利用者の広範な目標白黒レベル設定に対する「色再現の正確さ」を改善し，また白ムラ設定及び黒ムラ設定など調節項目を削減することができるので「簡便な使い勝手」を提供する効果が得られる。
【００５４】＜第２実施形態＞  図１１は、本実施形態に係る本実施形態に係る表示システム１Ａの概略構成図である。第１実施形態で説明した表示システム１と同様の機能を有する機能部については同じ符号を用いて、説明を省略する。  図１１に示すように、表示システム１Ａは、映像補正装置２Ａ、バックライト３、映像入力部４、ムラ補正３ＤＬＵＴ５、及び映像表示部６を含んで構成される。
【００５５】  映像補正装置２Ａは、バックライト制御部２０１、ムラ補正データ記憶部２０２、輝度ムラ特性算出部２０３、黒ムラ補正量算出部２０４、第１目標ムラ特性算出部２０５、第２目標ムラ特性算出部２０６、補正データ生成部２０７、判断部２０８Ａ、及び重畳部２０９を備える。また、補正データ生成部２０７は、目標ムラ特性生成部２０７１及びムラ補正データ出力部２０７２を備える。
【００５６】  判断部２０８Ａは、第１目標ムラ特性算出部２０５から入力された０階調目標ムラ特性１０５と、第２目標ムラ特性算出部２０６から入力された２５５階調目標ムラ特性１０６とが、画面内において同一値（例えば図８に示したようなフラットな特性）であれば一致と判断し、画面内において同一値でなければ不一致と判断する。判断部２０８Ａは、判断結果を重畳部２０９に出力する。なお、判断部２０８Ａは、補正量の比較において、所定の許容範囲内であれば一致していると判断するようにしてもよい。
【００５７】  本実施形態によれば、第１実施形態と同様に、利用者の嗜好に合わせて表示ムラを補正することができる。また、本実施形態によれば、階調間でムラ特性に差がある場合に、利用者に報知することができる。
【００５８】＜第３実施形態＞  図１２は、本実施形態に係る本実施形態に係る表示システム１Ｂの概略構成図である。第１実施形態で説明した表示システム１と同様の機能を有する機能部については同じ符号を用いて、説明を省略する。  図１２に示すように、表示システム１Ｂは、映像補正装置２Ｂ、バックライト３、映像入力部４、ムラ補正３ＤＬＵＴ５、及び映像表示部６を含んで構成される。
【００５９】  映像補正装置２Ａは、バックライト制御部２０１、ムラ補正データ記憶部２０２、輝度ムラ特性算出部２０３、黒ムラ補正量算出部２０４、第１目標ムラ特性算出部２０５、第２目標ムラ特性算出部２０６、補正データ生成部２０７、判断部２０８Ｂ、及び重畳部２０９を備える。また、補正データ生成部２０７は、目標ムラ特性生成部２０７１及びムラ補正データ出力部２０７２を備える。
【００６０】  判断部２０８Ｂは、ムラ補正データ記憶部２０２に記憶されている階調毎のムラ補正データを読み出すとともに、ムラ補正データ出力部２０７２が生成した０〜２５５階調間のムラ補正データを取得する。判断部２０８Ｂは、階調毎にこれら２つのムラ補正データが一致しているか不一致かを判断する。なお、ムラ補正データ記憶部２０２に記憶されている階調毎のムラ補正データは、各階調において、同一特性に調整されているとする。判断部２０８Ｂは、判断結果を重畳部２０９に出力する。なお、判断部２０８Ｂは、補正量の比較において、所定の許容範囲内であれば一致していると判断するようにしてもよい。
【００６１】  本実施形態によれば、第１実施形態と同様に、利用者の嗜好に合わせて表示ムラを補正することができる。また、本実施形態によれば、階調間でムラ特性に差がある場合に、利用者に報知することができる。
【００６２】  なお、第１実施形態〜第３実施形態では、ムラ補正データ記憶部２０２に出荷時等に予め設定されている階調毎のムラ補正データが記憶されている例を説明したが、これに限られない。表示システム（１、１Ａ、１Ｂ）の利用者または管理者、メンテナンスを行う作業者等が、使用後に不図示の撮像装置を用いて測定した結果に基づいて、ムラ補正データ記憶部２０２に階調毎のムラ補正データを記憶させるようにしてもよい。
【００６３】  また、第１実施形態〜第３実施形態では、映像補正装置（２、２Ａ、２Ｂ）が重畳部２０９を備える例を説明したが、重畳部２０９は、映像補正装置（２、２Ａ、２Ｂ）が備えていなくてもよい。この場合、映像補正装置（２、２Ａ、２Ｂ）の判断部（２０８、２０８Ａ、２０８Ｂ）は、判断結果を重畳部２０９に出力するようにしてもよい。
【００６４】  また、第１実施形態〜第３実施形態では、例として表示システム（１、１Ａ、１Ｂ）を説明したが、これに限られない。表示システム（１、１Ａ、１Ｂ）は、映像信号を表示し、バックライトを有するタブレット、スマートフォン等の携帯端末等であってもよい。
【００６５】  なお、上述した実施形態の図１の映像補正装置（２、２Ａ、２Ｂ）の各機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。  また、「コンピュータシステム」は、ＷＷＷシステムを利用している場合であれば、ホームページ提供環境（あるいは表示環境）も含むものとする。  また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ−ＲＯＭ等の可搬媒体、ＵＳＢ（Ｕｎｉｖｅｒｓａｌ  Ｓｅｒｉａｌ  Ｂｕｓ）  Ｉ／Ｆ（インタフェース）を介して接続されるＵＳＢメモリ、コンピュータシステムに内蔵されるハードディスク等の記憶装置のことをいう。さらに「コンピュータ読み取り可能な記録媒体」とは、サーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００６６】  以上、この発明の実施形態について図面を参照して詳述してきたが、具体的な構成はこの実施形態に限られるものではなく、この発明の要旨を逸脱しない範囲の設計等も含まれる。
【００６７】  なお、本発明の態様をまとめると次の付記１から付記１２のように表すことができる。  〔付記１〕  無補正時の表示パネルの輝度ムラの特性である無補正時ムラ特性であって、第１階調における前記無補正時ムラ特性である第１無補正時ムラ特性と、バックライト駆動値と黒レベルとに基づいて算出された補正量と、に基づいて、第１目標ムラ特性を算出する第１目標ムラ特性算出部と、  前記第１階調とは異なる第２階調における前記無補正時ムラ特性である第２無補正時ムラ特性と、前記バックライト駆動値と、に基づいて、第２目標ムラ特性を算出する第２目標ムラ特性算出部と、  前記第１無補正時ムラ特性と、前記第２無補正時ムラ特性と、前記第１目標ムラ特性と、前記第２目標ムラ特性と、に基づいて、映像信号を補正する階調毎の補正データを生成する補正データ生成部と、  を備える映像補正装置。  〔付記２〕  表示ムラを補正する予め設定された複数の階調それぞれに対するムラ特性に基づいて、前記第１階調と前記第２階調とを含む複数の階調それぞれの前記無補正時ムラ特性を算出する輝度ムラ算出部、を備える付記１に記載の映像補正装置。  〔付記３〕  前記黒レベルに比例し、前記バックライト駆動値に反比例する特性に基づいて前記補正量を算出する補正量算出部、を備える付記１または付記２に記載の映像補正装置。  〔付記４〕  前記補正データ生成部は、  前記第１目標ムラ特性と前記第２目標ムラ特性とを用いて、前記第１階調から前記第２階調間の目標ムラ特性を生成し、  各階調の前記無補正時ムラ特性と、生成された前記第１階調から前記第２階調間の目標ムラ特性とを階調毎に比較し、映像信号を補正する階調毎の補正データを生成する付記１から付記３のいずれか１つに記載の映像補正装置。  〔付記５〕  前記補正データ生成部が生成する階調毎の補正データは、３ＤＬＵＴのデータである付記１から付記４のいずれか１つに記載の映像補正装置。  〔付記６〕  前記バックライト駆動値は、白レベルに応じたバックライトの駆動値である付記１から付記５のいずれか１つに記載の映像補正装置。  〔付記７〕  前記第１目標ムラ特性と前記第２目標ムラ特性とを比較し、前記第１目標ムラ特性と前記第２目標ムラ特性とが所定の範囲内である場合に一致すると判断し、所定の範囲外である場合に不一致であると判断する判断部と、  前記判断部の判断結果が不一致の場合に警告情報を生成し、生成した前記警告情報を前記映像信号に重畳する重畳部、を備える付記１から付記６のいずれか１項に記載の映像補正装置。  〔付記８〕  前記判断部は、前記第１目標ムラ特性及び前記第２目標ムラ特性において、それぞれ映像が表示される表示部における所定の位置の値を基準として表示部内の各点の値を正規化し、表示部内の点毎に前記正規化された前記第１目標ムラ特性と前記第２目標ムラ特性とが、所定の範囲内である場合に一致すると判断し、所定の範囲外である場合に不一致であると判断する付記７に記載の映像補正装置。  〔付記９〕  前記第１目標ムラ特性に含まれる値と前記第２目標ムラ特性とに含まれる値とが、映像が表示される表示部の所定の位置において、所定の範囲内である場合に一致すると判断し、所定の範囲外である場合に不一致であると判断す���判断部と、  前記判断部の判断結果が不一致の場合に警告情報を生成し、生成した前記警告情報を前記映像信号に重畳する重畳部、を備える付記１から付記６のいずれか１つに記載の映像補正装置。  〔付記１０〕  表示ムラを補正する予め設定された複数の階調それぞれに対するムラ特性に含まれる値と、前記補正データ生成部によって生成された前記階調毎の補正データとに含まれる値とが、所定の範囲内である場合に一致すると判断し、所定の範囲外である場合に不一致であると判断する判断部と、  前記判断部の判断結果が不一致の場合に警告情報を生成し、生成した前記警告情報を前記映像信号に重畳する重畳部、を備える付記２から付記６のいずれか１つに記載の映像補正装置。  〔付記１１〕  画像を表示する表示パネルと、  無補正時の表示パネルの輝度ムラの特性である無補正時ムラ特性であって、第１階調における前記無補正時ムラ特性である第１無補正時ムラ特性と、バックライト駆動値と黒レベルとに基づいて算出された補正量と、に基づいて、第１目標ムラ特性を算出する第１目標ムラ特性算出部と、  前記第１階調とは異なる第２階調における前記無補正時ムラ特性である第２無補正時ムラ特性と、前記バックライト駆動値と、に基づいて、第２目標ムラ特性を算出する第２目標ムラ特性算出部と、  前記第１無補正時ムラ特性と、前記第２無補正時ムラ特性と、前記第１目標ムラ特性と、前記第２目標ムラ特性と、に基づいて、映像信号を補正する階調毎の補正データを生成する補正データ生成部と、  を備える表示装置。  〔付記１２〕  無補正時の表示パネルの輝度ムラの特性である無補正時ムラ特性であって、第１階調における前記無補正時ムラ特性である第１無補正時ムラ特性と、バックライト駆動値と黒レベルとに基づいて算出された補正量と、に基づいて、第１目標ムラ特性を算出する第１目標ムラ特性算出手順と、  前記第１階調とは異なる第２階調における前記無補正時ムラ特性である第２無補正時ムラ特性と、前記バックライト駆動値と、に基づいて、第２目標ムラ特性を算出する第２目標ムラ特性算出手順と、  前記第１無補正時ムラ特性と、前記第２無補正時ムラ特性と、前記第１目標ムラ特性と、前記第２目標ムラ特性と、に基づいて、映像信号を補正する階調毎の補正データを生成する補正データ生成手順と、  を含む映像補正方法。
【符号の説明】
【００６８】１、１Ａ、１Ｂ…表示システム、２、２Ａ、２Ｂ…映像補正装置、３…バックライト、４…映像入力部、５…ムラ補正３ＤＬＵＴ、６…映像表示部６、２０１…バックライト制御部、２０２…ムラ補正データ記憶部、２０３…輝度ムラ特性算出部、２０４…黒ムラ補正量算出部、２０５…第１目標ムラ特性算出部、２０６…第２目標ムラ特性算出部、２０７…補正データ生成部、２０８…判断部、２０９重畳部
【図１】
2015173948.tif 000003
【図２】
2015173948.tif 000004
【図５】
2015173948.tif 000005
【図９】
2015173948.tif 000006
【図１０】
2015173948.tif 000007
【図１１】
2015173948.tif 000008
【図１２】
2015173948.tif 000009
【図３】
2015173948.tif 000010
【図４】
2015173948.tif 000011
【図６】
2015173948.tif 000012
【図７】
2015173948.tif 000013
【図８】
2015173948.tif 000014
【国際調査報告】
2015173948.tif 000015
2015173948.tif 000016
2015173948.tif 000017
2015173948.tif 000018